(57)【要約】【課題】可変絞りが開放された状態におけるコントラスト向上を図るとともに、絞りによる光量変化に対するコントラストの向上の割合をより高めることができ、セット外形サイズの増大、材料コストの上昇を抑止できる投射型表示装置を提供する。【解決課題】入力される画像情報に基づいて入射される照明光を変調して出射する光変調部１２２（Ｒ，Ｇ，Ｂ）と、光源１０１からの照明光を光変調部に入射させる照明光学装置１０９と、光変調部のコントラスト視野角特性に複数のピーク方位角を持たせることが可能な光学部品１２４（Ｒ，Ｇ，Ｂ）と、光変調部から出射される光を投射する投射光学系１２６と、を有し、投射光学系１２６の瞳位置近傍に、可変開口絞り装置２００が配置され、絞り装置２００は、光変調部の複数のピーク方位角を持つコントラスト視野角特性の高コントラスト域の２次元的な分布形状と略一致するように形成されている。【選択図】図１
2008158012.tif 000002
【特許請求の範囲】
【請求項１】
入力される画像情報に基づいて入射される照明光を変調して出射する光変調部と、
上記光源からの照明光を上記光変調部に入射させる照明光学装置と、
上記光変調部のコントラスト視野角特性に複数のピーク方位角を持たせることが可能な光学部品と、
上記光変調部から出射される光を投射する投射光学系と、を有し、
上記投射光学系には、開口形状が可変な絞りと当該絞りを駆動する駆動部とが１つの基体に設けられた絞り装置が配置され、
上記絞り装置は、開口形状が、
上記光変調部の複数のピーク方位角を持つコントラスト視野角特性の高コントラスト域の２次元的な分布形状と略一致するように形成されている
投射型表示装置。
【請求項２】
上記コントラスト視野角特性の分布形状は、中心部に対してピークを持つ第１ピーク部と、当該第１ピーク部に略直交する方向にピークを持つ第２ピーク部と、上記第１ピーク部と上記中心部を挟んで対向する側にピークを持つ第３ピーク部と、上記第２ピーク部と上記中心部を挟んで対向する側にピークを持つ第４ピーク部と、を含み、
高コントラスト域が、上記中心部から、上記第１ピーク部、上記第２ピーク部、上記第３ピーク部、および第４ピーク部に至るような形状を有する
請求項１記載の投射型表示装置。
【請求項３】
上記絞り装置の開口形状は、略十字型を有する
請求項２記載の投射型表示装置。
【請求項４】
上記絞り装置は、上記投射光学系の瞳位置近傍に配置された２つの絞り羽根を駆動系によりスライドさせて絞り領域を形成する
請求項３記載の投射型表示装置。
【請求項５】
上記絞り装置は、上記投射光学系のレンズ鏡筒部に対して脱着可能に形成されている
請求項１記載の投射型表示装置。
【請求項６】
上記投射光学系に配置される絞り装置に対する循環冷却風の送風経路が形成されている  請求項１記載の投射型表示装置。
【請求項７】
上記絞り装置の駆動部は、上記絞りの開閉動作を連接リンク機構により駆動するアクチュエータを有する
請求項１記載の投射型表示装置。
【請求項８】
上記絞り装置の駆動部は、ガルバノメータを含むアクチュエータを有する
請求項１記載の投射型表示装置。
【請求項９】
上記アクチュエータは、ホール素子を有するガルバノメータを含み、
上記ホール素子は２端子出力であって、
上記ホール素子の第１出力とリファレンス電圧を差動増幅してホール電圧として上記ホール素子に供給する第１の差動増幅回路と、
上記ホール素子の第２出力と上記リファレンス電圧を差動増幅して出力する第２の差増増幅回路と、を有する
請求項８記載の投射型表示装置。
【請求項１０】
上記照明光学装置は、
照明光を出射する光源と、
上記光源から発せられた照明光を均一化する、光軸上に所定間隔をあけて配置された一対の第１のマルチレンズレンズおよび第２のマルチレンズアレイと、を有する
請求項１記載の投射型表示装置。
【請求項１１】
上記絞り装置は、全閉状態でも遮光率が１００％以外となるように形成されている
請求項１記載の投射型表示装置。
【請求項１２】
上記絞り装置は、複数の絞り羽根を含み、当該複数の絞り羽根が同期的に開閉される
請求項１記載の投射型表示装置。
【請求項１３】
映像信号のＡＰＬ（average picture level ）に連動して上記可変開口絞り装置の絞り径を変動させるとともに、上記映像信号の振幅を制御する制御部を有する
請求項１記載の投射型表示装置。
【請求項１４】
上記制御部は、上記映像信号のＡＰＬ（average picture level）が減少した場合に、上記駆動部で駆動することにより上記絞り装置の絞りの開口を小さくすると共に、上記映像信号の振幅を大きくするように制御する
請求項１３記載の投射型表示装置。
【請求項１５】
入力される画像情報に基づいて入射される照明光を変調して出射する液晶パネルと、
上記光源からの照明光を上記液晶パネルに入射させる照明光学装置と、
上記液晶パネルのコントラスト視野角特性に複数のピーク方位角を持たせることが可能な光学部品と、
上記液晶パネルから出射される光を投射する投射光学系と、を有し、
上記投射光学系には、開口形状が可変な絞りと当該絞りを駆動する駆動部とが１つの基体に設けられた絞り装置が配置され、
上記絞り装置は、
開口形状が、上記液晶パネルの複数のピーク方位角を持つコントラスト視野角特性の高コントラスト域の２次元的な分布形状と略一致するように形成され、絞り形状が上記液晶パネルの高コントラスト域の形状に合わせるように配置されている
投射型表示装置。
【請求項１６】
上記コントラスト視野角特性の分布形状は、中心部に対してピークを持つ第１ピーク部と、当該第１ピーク部に略直交する方向にピークを持つ第２ピーク部と、上記第１ピーク部と上記中心部を挟んで対向する側にピークを持つ第３ピーク部と、上記第２ピーク部と上記中心部を挟んで対向する側にピークを持つ第４ピーク部と、を含み、
高コントラスト域が、上記中心部から、上記第１ピーク部、上記第２ピーク部、上記第３ピーク部、および第４ピーク部に至るような形状を有する
請求項１５記載の投射型表示装置。
【請求項１７】
上記絞り装置の開口形状は、略十字型を有する
請求項１６記載の投射型表示装置。
【発明の詳細な説明】
【技術分野】
【０００１】
本発明は、たとえば液晶プロジェクタ等の投射型表示装置に関するものである。
【背景技術】
【０００２】
液晶プロジェクタは、液晶材料を用いた空間光変調器（以下、液晶パネルという）を用いるプロジェクタ装置である。
液晶プロジェクタにおいては、液晶パネル自体は発光しない。そこで、液晶プロジェクタにおいては、液晶パネルと光源とを組み合わせ、液晶パネルに光を照射して照明する。
そして、液晶パネルに映像信号を印加し、液晶パネルにより形成された像を、投射レンズによりスクリーンに投射する。このような構成を有する液晶プロジェクタにより、小型の装置で大画面の映像表示を実現できる。
【０００３】
プロジェクタに用いられる液晶材料は、印加電界に従い、入射光の偏光を変化させる性質（施光性）を持ち、液晶パネルは、この性質を利用して光変調を行う。
このために、液晶パネルに入射する光は、ある一方向の直線偏光（ｐ偏光またはｓ偏光）とする必要がある。そして、液晶パネルを出射する光は、液晶パネルに印加される映像信号に従い偏光方向が回転する。そこで、光変調を行うために液晶パネルの出射側に検光子として偏光子が配置される。
【０００４】
従来、スクリーンが置かれた環境に応じてより見やすい表示画像が得られるように、映像の明るさを調節する絞りオン・オフモード（絞りを適用するか否かのモード）の切替を持つプロジェクタが提案されている。さらに、液晶プロジェクタにより投影される映像のコントラストを向上させるため絞りを用いることも提案されている。そして、このコントラストを向上させるため照明光学系または投射光学系に絞りを有するプロジェクタについては、たとえば特許文献１に記載されている。
【０００５】
また、照明光学系または投射光学系に、絞り形状が円形の可変絞り機構を有し、絞り量を映像信号の輝度情報に基づいて制御し、明るいシーンと暗いシーンのコントラスト感を向上させる液晶プロジェクタが提案されている（たとえば、特許文献２参照）。
【特許文献１】特開平８−１０６０９０号公報
【特許文献２】特開２００６−１３３７５０号公報
【発明の開示】
【発明が解決しようとする課題】
【０００６】
ところで、液晶プロジェクタ光学系において、液晶パネルに入射する照明光有限の角度分布を持つため、液晶パネルに対して斜めに入射した光の偏光特性が液晶分子の配向（プレチルト）によって乱れ（直線偏光が楕円偏光になり）、検光子から漏れた光によりコントラストが低下する。
【０００７】
そして、コントラストの低下を改善するために、上述の絞りを用いる方法の他に光学補償板を液晶パネルに適用することが提案されているが、市場ではさらにより高いコントラストの向上が求められている。
【０００８】
本発明は、可変絞りが開放された状態におけるコントラスト向上を図るとともに、絞りによる光量変化に対するコントラストの向上の割合をより高めることができ、セット外形サイズの増大、材料コストの上昇を抑止できる投射型表示装置を提供することにある。
【課題を解決するための手段】
【０００９】
本発明の第１の観点の投射型表示装置は、入力される画像情報に基づいて入射される照明光を変調して出射する光変調部と、上記光源からの照明光を上記光変調部に入射させる照明光学装置と、上記光変調部のコントラスト視野角特性に複数のピーク方位角を持たせることが可能な光学部品と、上記光変調部から出射される光を投射する投射光学系と、を有し、上記投射光学系には、開口形状が可変な絞りと当該絞りを駆動する駆動部とが１つの基体に設けられた絞り装置が配置され、上記絞り装置は、開口形状が、上記光変調部の複数のピーク方位角を持つコントラスト視野角特性の高コントラスト域の２次元的な分布形状と略一致するように形成されている。
【００１０】
好適には、上記コントラスト視野角特性の分布形状は、中心部に対してピークを持つ第１ピーク部と、当該第１ピーク部に略直交する方向にピークを持つ第２ピーク部と、上記第１ピーク部と上記中心部を挟んで対向する側にピークを持つ第３ピーク部と、上記第２ピーク部と上記中心部を挟んで対向する側にピークを持つ第４ピーク部と、を含み、高コントラスト域が、上記中心部から、上記第１ピーク部、上記第２ピーク部、上記第３ピーク部、および第４ピーク部に至るような形状を有する。
【００１１】
好適には、上記絞り装置の開口形状は、略十字型を有する。
【００１２】
本発明の第２の観点の投射型表示装置は、入力される画像情報に基づいて入射される照明光を変調して出射する液晶パネルと、上記光源からの照明光を上記液晶パネルに入射させる照明光学装置と、上記液晶パネルのコントラスト視野角特性に複数のピーク方位角を持たせることが可能な光学部品と、上記液晶パネルから出射される光を投射する投射光学系と、を有し、上記投射光学系には、開口形状が可変な絞りと当該絞りを駆動する駆動部とが１つの基体に設けられた絞り装置が配置され、上記絞り装置は、開口形状が、上記液晶パネルの複数のピーク方位角を持つコントラスト視野角特性の高コントラスト域の２次元的な分布形状と略一致するように形成され、絞り形状が上記液晶パネルの高コントラスト域の形状に合わせるように配置されている。
【００１３】
本発明によれば、光学部品により光学補償され、光変調部のコントラスト視野角特性が複数のピーク方位角を持つようになる。そして絞り装置が光変調部の高コントラスト域の形状に合わせるように開閉制御される。
【発明の効果】
【００１４】
本発明によれば、絞り稼動時に光線通過率を同等とした時の総合的なコントラストの向上を図ることができる。また、稼動範囲を小さくできるためコストダウン、信頼性の向上が図れる。
また、投射光学系の光学設計を変えることなく、コントラスト視野角特性に合せてスクリーン上に投写される映像コントラストを大幅に向上させることができる。
さらに、絞りと当該絞りを駆動する駆動部とが１つの基体に設けられた本絞り装置を設置することによる投射光学系の占有体積の増加は絞り装置取り付け部周辺のみであり、商品性を損なうことなく大幅に性能向上を達成できる。
【発明を実施するための最良の形態】
【００１５】
以下、本発明の実施形態を、添付図面に関連付けて説明する。
【００１６】
図１は、本発明の実施形態に係る光学装置を採用した液晶プロジェクタ（投射型表示装置）を原理的に示す図である。
図２は、本発明の実施形態に係る光学装置を採用した液晶プロジェクタ（投射型表示装置）を示す図である。
【００１７】
本液晶プロジェクタ１００は、図１および図２に示すように、光源部１０１、コリメータレンズ１０２、光学フィルタ１０３、第１のマルチレンズアレイ（ＭＬＡ）１０４、第２のＭＬＡ１０５、偏光変換素子１０６、集光レンズ１０７、ダイクロイックミラー１１０Ｒ、１１０Ｇ、反射ミラー１１１，１１２，１１３、集光レンズ１２０Ｒ，１２０Ｇ，１２０Ｂ、偏光板１２１Ｒ，１２１Ｇ，１２１Ｂ、液晶パネル１２２Ｒ，１２２Ｇ，１２２Ｂ、偏光板１２３Ｒ，１２３Ｇ，１２３Ｂ、光学部品としての光学補償板１２４Ｒ，１２４Ｇ，１２４Ｂ、ダイクロイックプリズム１２５、絞り装置２００を含む投射光学系１２６、リレーレンズ１３０，１３１等から構成される。
そして、光源部１０１、コリメータレンズ１０２、光学フィルタ１０３、第１ＭＬＡ１０４、第２ＭＬＡ１０５、偏光変換素子１０６、および集光レンズ１０７により照明光学系１０８が構成される。
【００１８】
本実施形態の特徴部分である絞り装置２００は、照明光学系１０８ではなく、投射光学系１２６のいわゆるレンズ瞳位置（ＲＧＢ共通）の近傍に配置されている。
本実施形態の液晶プロジェクタ１００は、映像信号のＡＰＬ（average picture level ）に連動して絞り装置２００の絞り径（幅）を変動させるとともに、映像信号の振幅を制御する。
絞り装置２００は、後で詳述するように、２枚の板羽根をスライドさせるシンプルな構造を有し、かつ、以下の特徴を有する。
・照明光学系ではなく投射光学系１２６に配置し、アイリス機構の小型化を図っている。
・２つの板羽根を有し、スライド駆動される２つの板羽根により形成される開口形状が略十字型を有する。
開口形状を略十字型を有するように形成した理由は、後で詳述するが、液晶パネル（光変調部）の複数のピーク方位角を持つコントラスト視野角特性の高コントラスト域の２次元的な分布形状と略一致させて高コントラスト化を図り、光量変化を抑え、チラツキ感の少ない自然な画質が得られるようにするためである。
・絞り装置２００を投射光学系１２６のレンズ鏡筒部に脱着可能な機構としてサービス性の向上を図っている。
・板羽根、スライドガイド機構のピンの材質、径の最適化を図っている。
・レンズ内の絞りに循環冷却風の送風経路を形成している。
・駆動装置としてステッピングモータではなくガルバノメータを採用している。
【００１９】
以下、液晶プロジェクタ１００の各構成要素の構成および機能について説明し、続いて絞り装置１０５の具体的な構成および機能について説明し、さらに液晶プロジェクタの冷却構造について説明する。
【００２０】
光源部１０１は、放電ランプ１０１ａおよび反射集光鏡１０１ｂから構成されており、この放電ランプ１０１ａから出射された光を反射集光鏡１０１ｂが集光してコリメータレンズ１０２に向けて出射する。
【００２１】
コリメータレンズ１０２は、光源部１０１から出射された照明光Ｌを平行束として光学フィルタ１０３に向けて出射する。
【００２２】
光学フィルタ１０３は、光源部１０１から出射され、コリメータレンズ１０２を介した照明光Ｌに含まれる赤外線領域および紫外線領域の不要な光を除去する。
【００２３】
第１のＭＬＡ１０４は、光源部１０１からの照明光Ｌを複数に分割し、それらの光学像を第２のＭＬＡ１０５の光入射面近傍に配置させる。
より具体的には、第１のＭＬＡ１０４は、複数のレンズがアレイ状に配置され、照明光Ｌを複数の光束に分割して集光し、各分割像の光スポットを所定の位置（第２のＭＬＡ１０５の光入射面近傍）にレイアウトさせる。
そして第２のＭＬＡ１０５に集光して形成された光源部１０１の像は、投射光学系１２６の絞り装置２００の配置位置近傍、すなわちレンズの瞳位置近傍に投影される。
【００２４】
第２のＭＬＡ１０５は、第１のＭＬＡ１０４による分割光源像を、液晶パネル１２２Ｒ，１２２Ｇ，１２２Ｂの照明光として利用可能となるように偏光変換素子１０６に入射させる。
第２のＭＬＡ１０５には、第１のＭＬＡ１０４により集光される複数の光スポットに対応する複数のレンズが配置される。第２のＭＬＡ１０５の各レンズは第１のＭＬＡ１０４による分割像を、集光レンズ１０７を介して液晶パネル１２２Ｒ，１２２Ｇ，１２２Ｂ上に重畳して結像させ、光源部１０１から出射された光を均一化する。
【００２５】
偏光変換素子１０６は、たとえば、短冊状に配列された偏光ビームスプリッタと、これに対応して間欠的に設けられた位相差板から構成され、入射した照明光Ｌのｐ偏光成分をｓ偏光成分に変換し、全体としてｓ偏光成分を多く含む偏光方向の揃えられた照明光を出力する。
【００２６】
集光レンズ１０７は、偏光変換素子１０６を通過した照明光Ｌが液晶パネル１２２Ｒ，１２２Ｇ，１２２Ｂにおいて重ね合わされるように集光する。
【００２７】
ダイクロイックミラー１１０Ｒは、集光レンズ１０７を通過した偏光方向の揃えられた照明光Ｌの光軸に対して４５度傾斜しており、照明光Ｌのうち、赤色の波長領域の光(赤色光という場合もある)ＬRのみ反射ミラー１１１に向けて反射し、その他の波長域の光ＬGBを透過する。
【００２８】
反射ミラー１１１は、ダイクロイックミラー１１０Ｒで反射された光ＬR の光軸に対して４５度傾斜しており、光ＬR を集光レンズ１２０Ｒに向けて反射する。
【００２９】
ダイクロイックミラー１１０Ｇは、ダイクロイックミラー１１０Ｒを透過した光ＬGBの光軸に対して４５度傾斜しており、ダイクロイックミラー１１０Ｒを透過した光ＬGBのうち緑色の波長域の光(緑色光という場合もある)ＬG のみを集光レンズ１２０Ｇに向けて反射し、その他の波長域（青色の波長域）の光ＬB を透過する。
【００３０】
リレーレンズ１３０および１３１は、青色の波長域の光(青色光という場合もある)ＬB のダイクロイックミラー１１０Ｇから液晶パネル１２２Ｂまでの光路長が比較的長いため、光路途中で青色光ＬB を結像しなおすために設けられている。
ダイクロイックミラー１１０Ｇを通過した青色の波長域の光ＬB は、リレーレンズ１３０および１３１を通過し、反射ミラー１１３によって集光レンズ１２０Ｇに向けて反射される。
【００３１】
各集光レンズ１２０Ｒ，１２０Ｇ，１２０Ｂおよび液晶パネル１２２Ｒ，１２２Ｇ，１２２Ｂは、立方体形状のダイクロイックプリズム１２４の３つの側面に対して所定の位置にそれぞれ配置されている。
また、液晶パネル１２２Ｒ，１２２Ｇ，１２２Ｂの入射側と出射側には、偏光子としての偏光板１２１Ｒ，１２１Ｇ，１２１Ｂと、検光子としての偏光板１２３Ｒ，１２３Ｇ，１２３Ｂがそれぞれ配置されている。
偏光板１２１Ｒ，１２１Ｇ，１２１Ｂは、集光レンズ１２０Ｒ，１２０Ｇ，１２０Ｂの出射側にそれぞれ固定されており、偏光板１２３Ｒ，１２３Ｇ，１２３Ｂはダイクロイックプリズム１２４の入射側の３面にそれぞれ固定されている。
【００３２】
そして、液晶パネル１２２Ｒ，１２２Ｇ，１２２Ｂの入射側の面と偏光板１２１Ｒ，１２１Ｇ，１２１Ｂには、光学部品としての光学補償板１２４Ｒ，１２４Ｇ，１２４Ｂが配置されている。
本実施形態においては、光学補償板１２４Ｒ，１２４Ｇ，１２４Ｂは液晶パネル１２２Ｒ，１２２Ｇ，１２２Ｂの入射側の面に一体的に配置されている。なお、光学補償板１２４Ｒ，１２４Ｇ，１２４Ｂは液晶パネル１２２Ｒ，１２２Ｇ，１２２Ｂの入射側でなく出射側に配置してもよく、また、入射側と出射側の両側に配置することも可能である。
【００３３】
液晶パネル１２２Ｒ，１２２Ｇ，１２２Ｂは、印加される赤色、緑色、青色の三原色に対応する映像信号によって、集光レンズ１２０Ｒ，１２０Ｇ，１２０Ｂを通じて入射する各色光ＬR ，ＬG ，ＬB の強度を変調する。
すなわち、偏光板１２１Ｒ，１２１Ｇ，１２１Ｂを透過した所定の偏光方向の色光ＬR，ＬG ，ＬB は、液晶パネル１２２Ｒ，１２２Ｇ，１２２Ｂに印加された映像信号に基づき、偏光面が回転する。
偏光面の回転を受けた光の所定の偏光成分が、偏光板１２３Ｒ，１２３Ｇ，１２３Ｂを透過し、ダイクロイックプリズム１２４に入射される。
【００３４】
本実施形態において採用する光学補償板１２４Ｒ，１２４Ｇ，１２４Ｂは液晶パネル１２２Ｒ，１２２Ｇ，１２２Ｂのコントラスト視野角特性に複数のピーク方位角を持たせることが可能な機能を有している。
【００３５】
図３は、本実施形態に係る光学補償板の構成例を示す図である。
【００３６】
図３に示す光学補償板１２４は、位相差板１４０ａと位相差板１４０ｂとを組み合わせて、具体的には接着剤１５０で貼り合わせて形成されている。
【００３７】
位相差板１４０ａは、透明なガラス基板などからなる基板１４１ａと、基板１４１ａ上に形成された配向膜１４２ａと、配向膜１４２ａ上に形成された第１の補償膜（位相差層）１４３ａとを有する。配向膜１４２ａに施された配向処理に応じて、第１の補償膜１４３ａの光軸の向きが調整される。配向膜１４２ａは、たとえば光照射により配向が可能な光配向膜により形成される。第１の補償膜１４３ａは、たとえば液晶ポリマにより形成される。
【００３８】
位相差板１４０ｂは、透明なガラス基板などからなる基板１４１ｂと、基板１４１ｂ上に形成された配向膜１４２ｂと、配向膜１４２ｂ上に形成された第２の補償膜（位相差層）１４３ｂとを有する。配向膜１４２ｂおよび第２の補償膜１４３ｂの材料については、配向膜１４２ａおよび第１の補償膜１４３ａと同様である。
【００３９】
<位相差板の作製方法>
上記の位相差板の作製方法の例について説明する。なお、本例では、一例として、図３に示す位相差板１４０ａの作製方法について説明する。
【００４０】
まず、位相差板に用いる基板１４１ａを作製する。基板１４１ａとして、たとえば、透明絶縁性基板を用意する。なお、液晶パネルと一体に作製する場合には、ＴＦＴ素子などのスイッチング素子や透明電極が付いた透明絶縁基板であってもよい。
【００４１】
次に、基板１４１ａの上に配向膜１４２ａを塗布する。上記配向膜１４２ａは、光硬化型配向膜を用いることが好ましい。光配向膜を形成する露光工程において、複数回の露光処理を行っても良いし、一枚のフォトマスクにおいて、一枚の位相差板の四隅に対応する領域の配向方向を変更しても良い。
【００４２】
次に、配向膜１４２ａ上に補償膜（位相差層）材料を塗布する。たとえば、位相差層材料として液晶ポリマを使用する。液晶ポリマは、配向膜の配向方向に従って液晶分子が配向する。これにより、面内に複数の光軸を有する位相差板１４０ａを作製することができる。位相差板１４０ｂの作製方法については、位相差板１４０ａと同様である。
そして、位相差板１４０ａと位相差板１４０ｂが各補償膜（位相差層）１４３ａ、１４３が向かい合うように接着剤１５０で貼り合せられる。
【００４３】
このときの各補償膜（位相差層）１４３ａ、１４３ｂの法線方向に対するリタデーションは、８０ｎｍ以下であることが好ましい。また、各補償膜（位相差層）１４３ａ，１４３ｂの光軸（配向軸）の方向が、少なくとも液晶層の面内における中央部分の光軸に対して、周辺部分が０．５°〜５°異なることが好ましい。これは、温度の上昇に伴い、上記の角度範囲で光軸の変化が確認されたためである。
【００４４】
このように、光学補償板は、ガラス基板に配向膜を形成し、その上に正の一軸異方性を持つ液晶を塗布し、配向された状態のまま硬化する。
光学補償をするためには、様々な入射光角度に対する液晶パネルのリタデーションを打ち消す必要がある。このために以下の３つが重要である。
すなわち、ハイブリッド配向（界面チルト−表面チルト）状態、液晶層厚み、液晶の屈折率異方性Δｎの選定である。
【００４５】
このような構成を有する光学補償板１２４Ｒ，１２４Ｇ，１２４Ｂは、前述したように、液晶パネル１２２Ｒ，１２２Ｇ，１２２Ｂのコントラスト視野角特性に複数のピーク方位角を持たせることが可能な機能を有している。
【００４６】
図４は、液晶パネルのパネルコントラスト視野角特性の照明光(入射光)角度依存性を示す図である。
【００４７】
透過型液晶パネルに代表される光強度変調素子は、その素子に対する照明光線の光入力角度によって変調特性（透過型液晶の場合、透過特性）が異なる。
したがって、下記で定義されるコントラスト比ＣＮＴＲの値も光入射角度に依存する。
ＣＮＴＲ＝ＢＲＴ−Ｗ／ＢＲＴ−Ｂ
ここで、ＢＲＴ−Ｗは白表示時の明るさを示し、この明るさＢＲＴ−Ｗは白表示時の透過率に比例する。ＢＲＴ−Ｂは黒表示時の明るさを示し、この明るさＢＲＴ−Ｂは黒表示時の透過率に比例する。
このコントラスト比ＣＮＴＲは、図４において、右側の縦軸部分に付した値で示してある。
【００４８】
図４においては、コントラスト比が異なる領域として６領域ＡＣＮＴ１〜ＡＣＮＴ６を有する。
中心部に最も近い第１領域ＡＮＣＴ１が最もコントラストが高く、第１領域ＡＣＮＴ１を囲む第２領域ＡＣＮＴ２が２番目にコントラストが高く、第２領域ＡＣＮＴ２を囲む第３領域ＡＣＮＴ３が３番目にコントラストが高く、本実施形態においては、これらの第１〜第３領域ＡＣＮＴ１〜ＡＣＮＴ３によりいわゆる高コントラスト域ＨＡＣＮＴが形成されている。
また、第４領域ＡＣＮＴ４が４番目にコントラストが高く、第５領域ＡＣＮＴ５がコントラストが高く、第６領域ＡＣＮＴ６が最もコントラストが低くなっている。
【００４９】
そして、本実施形態において、高コントラスト域ＨＡＣＮＴにおけるコントラスト視野角特性の分布形状は、中心部ＣＥＮＴに対してピークを持つ第１ピーク部ＰＫ１と、第１ピーク部ＰＫ１に略直交する方向にピークを持つ第２ピーク部ＰＫ２と、第１ピーク部ＰＫ３と中心部ＣＥＮＴを挟んで対向する側にピークを持つ第３ピーク部ＰＫ３と、第２ピーク部ＰＫ２と中心部ＣＮＴＲを挟んで対向する側にピークを持つ第４ピーク部ＰＫ４と、を含み、高コントラスト域ＨＡＣＮＴが、中心部ＣＮＴＲから、第１ピーク部ＰＫ、上第２ピーク部ＰＫ２、第３ピーク部ＰＫ３、および第４ピーク部ＰＫ４に裾状をなして（いわゆるスペクトル状をなして）至るような形状を有する
換言すれば、高コントラスト域ＨＡＣＮＴは、大略的に略十字型を有している。
本実施形態においては、後で説明するように、絞り装置の開口形状は、この高コントラスト域ＨＡＣＮＴの形状に合わせるように略十字型を有するように形成されている。
【００５０】
また、図４のパネルコントラストの照明光(入射光)角度依存性を示す円形の分布図に付した角度０度（３６０度）〜３３０度について、図５（Ａ）および図５（Ｂ）に関連付けて説明する。
【００５１】
図５（Ａ）に示すように、表示素子としての液晶パネル１２２（Ｒ，Ｇ，Ｂ）の面に対する法線νに対する入射光ＩＬのなす角度をθとし、パネル面１２２ａに対する入射光ＩＬのなす角度をφとする。
そして、図５（Ｂ）に示すように、角度θの同軸方向を基準にした同径方向の角度φとして、図４に示すように図面に付してある。
【００５２】
図６は、液晶パネルへの照明光角度分布を示す図である。
【００５３】
照明光学系１０９の第１のＭＬＡ１０４は、図６に示すように、光源部１０１からの照明光Ｌを複数に分割して集光し、各分割像の光スポットを所定の位置（第２のＭＬＡ１０５の光入射面近傍）にレイアウトさせる。
そして第２のＭＬＡ１０５に集光して形成された光源部１０１の像は、投射光学系１２６の絞り装置２００の配置位置近傍、すなわちレンズの瞳位置近傍に投影される。
図６中の丸ＣＲＣが絞り径、すなわち光線角度の制御機能部として働く。
また、パネルコントラスト特性は、図４に示すような特性を示すことから、本実施形態においては、図７に示すように、パネルコントラスト視野角特性と絞り開閉時の形状を合わせるように配置している。
これは、高コントラスト域は光線角度が小さく、光線を絞ればコントラストが向上する。すなわち、図８に示すように、光線角度が小さい場合には、コントラストは高くなり、明るさは低くなる、一方、光線角度が大きい場合には、コントラストは低くなり、明るさは高くなる、ことに対応し、最適な特性を得るためである。
【００５４】
ダイクロイックプリズム１２５は、たとえば、複数のガラスプリズムを接合することによって構成されており、各ガラスプリズムの接合面には、所定の光学特性を有する干渉フィルタ１２５ａ，１２５ｂが形成されている。
干渉フィルタ１２５ａは、青色光ＬB を反射し、赤色光ＬR および緑色光ＬG を透過する。干渉フィルタ１２５ｂは、赤色光ＬR を反射し、緑色光ＬG および青色光ＬB を透過する。
したがって、液晶パネル１２２Ｒ，１２２Ｇ，１２２Ｂによって変調された各色光ＬR，ＬG ，ＬB は、合成されて投射光学系１２６に入射する。
【００５５】
投射光学系１２６は、たとえば、ダイクロイックプリズム１２５から入射された映像光をスクリーン等の投影面に、向けて投射する。スクリーンには、カラー映像が映し出される。
【００５６】
図９は、本実施形態に係る液晶プロジェクタの光軸を直線に配置し、光線を図示しない場合の光学系配置を示す図である。
【００５７】
図９に示すように、投射光学系１２６は、第１レンズ群１２６１、第２レンズ群１２６２、および第３レンズ群１２６３を含んで構成されている。
そして、絞り装置２００は第２レンズ群１２６２の光入射側に配置されている。
【００５８】
以下に、絞り装置２００の具体的な構成および機能について、図面に関連付けて説明する。
【００５９】
図１０は、本実施形態に係る絞り装置の開放時の構成例を示す正面図である。また、図１１は、本実施形態に係る絞り装置の最大絞り（最小絞り径）時の構成例を示す正面図である。また、図１２（Ａ）および図１２（Ｂ）は、本実施形態に係る絞り装置の基体の裏面側から見た図である。
【００６０】
本実施形態の絞り装置２００は、所定厚さの略直方体をなす板状の基体２０１と、基体２０１の表面側に互いに一部重なるように配置され、ガルバノメータの回転に応じて基体２０１の長手方向にスライドする２つの絞り羽根２０２,２０３を有している。
【００６１】
基体２０１の略中央より長手方向の一側部側に円形の絞り開口２０１１が形成されている。基体２０１の裏面側の他側部側には、ガルバノメータ３００が搭載され、ガルバノメータ３００の頂部には基板４００が配置されている。基板４００は、ガルバノメータ３００のホール素子、制動コイル、駆動コイルの端子部を絞り装置２００より離間した位置に配置される図示しない制御系回路基板にリード線を通して接続される。
基体２０１の表面２０１ａには、開口２０１１を挟んで長手方向の側部に２つの絞り羽０２，２０３をスライドさせるための係止ピン２０１２，２０１３，２０１４，２０１５が形成されている。
また、基体２０１には、円弧状の２つの回転案内孔２０１６，２０１７が形成されている。これら２つの回転案内孔２０１６，２０１７は、基体２０１のガルバノメータ３００の２つの回転出力軸３０１，３０２を案内し、かつ、ガルバノメータ３００の回転出力軸３０１，３０２の回転範囲を所定範囲に規制するための案内孔であり、円筒状をなすガルバノメータ３００の円筒軸を中心として略１８０度対向する位置に形成されている。
【００６２】
絞り羽根２０２は、係止ピン２０１２，２０１３が係止し、所定の長さをもってスライド範囲を規制する長手方向に沿って形成された直線状で長孔状の被係止孔２０２１，２０２２と、一端部側において、被係止孔２０２１，２０２２の案内方向と略直交するように直線線状に形成され、基体２０１の回転案内孔２０１６を挿通されたガルバノメータ３００の回転出力軸３０１の端部を係止させて案内する被係止孔２０２３が形成されている。
絞り羽根２０２は、図１０および図１１に示すように、一端部が被係止孔２０２３に出力回転軸３０１が係止され、一端部から略中央部において、被係止孔２０２１に係止ピン２０１２が係止され、被係止孔２０２２に係止ピン２０１３が、絞り羽根２０３の被係止孔とともに係止される。
絞り羽根２０２の一端部から中央部にかけては、図１０および図１１に示すように、基体２０１の絞り開口２０１１の図中右側部に位置し、中央部から他端部が、基体２０１の一側部側から絞り開口２０１１の周縁部に沿い、かつ、絞り開口２０１１の図中左側部に至るような形状をもってアイリス羽根部２０２ａが形成されている。
そして、絞り羽根２０２の絞り開口２０１１の図中の左側部側に位置する部分に、係止ピン２０１５が、絞り羽根２０３の被係止孔とともに係止される被係止孔２０２４が長手方向に沿って直線状で長孔状に形成されている。
このアイリス羽根部２０２ａは、ガルバノメータ３００の回転に応じて絞り開口２０１１の略半分を開閉するように動作制御される。
【００６３】
絞り羽根２０３は、係止ピン２０１４，２０１５が係止し、所定の長さをもってスライド範囲を規制する長手方向に沿って形成された直線状で長孔状の被係止孔２０３１，２０３２と、一端部側において、被係止孔２０３１，２０３２の案内方向と略直交するように直線線状に形成され、基体２０１の回転案内孔２０１７を挿通されたガルバノメータ３００の回転出力軸３０２の端部を係止させて案内する被係止孔２０３３が形成されている。
絞り羽２０３は、図４および図５に示すように、一端部が被係止孔２０３３に出力回転軸３０２が係止され、一端部から略中央部において、被係止孔２０３１に係止ピン２０１４が係止され、被係止孔２０３２に係止ピン２０１５が、絞り羽根２０２の被係止孔２０２４とともに係止される。
絞り羽根２０２の一端部から中央部にかけては、図１０および図１１に示すように、基体２０１の絞り開口２０１１の図中左側部に位置し、中央部から分岐するように、基体２０１の他側部側から絞り開口２０１１の周縁部に沿い、かつ、絞り開口２０１１の図中右側部に至るような形状をもってアイリス羽根部２０３ａが形成されている。
そして、絞り羽根２０３の絞り開口２０１１の図中の右側部側に位置する部分に、係止ピン２０１３が、絞り羽根２０２の被係止孔２０２２とともに係止される被係止孔２０３４が長手方向に沿って直線状で長孔状に形成されている。
このアイリス羽根部２０３ａは、ガルバノメータ３００の回転に応じて絞り開口２０１１の略半分を開閉するように動作制御される。
【００６４】
また、本実施形態の絞り装置２００は、前述したように、投射光学系１２６のレンズ鏡筒部に脱着可能な機構としてサービス性の向上を図っている。
そのため、基体２０１の周縁部には、レンズ鏡筒部にねじにより脱着可能とするための、ねじ挿入孔が形成された取り付け片２０１８、２０１９が形成されている。
また、基体２０１の長手方向の一端部には、レンズ鏡筒部の形成された位置決め部に挿入可能な位置決め用切り欠き部２０２０が形成されている。
【００６５】
また、本実施形態においては、絞り羽根２０２，２０３と係止ピン２０１２〜２０１５（基体２０１）の材質としては、以下の材料を採用することが可能である。
絞り羽根２０２，２０３と係止ピン２０１２〜２０１５（基体２０１）のすべてを金属（ＳＵＳ）で形成する。この場合、高温、たとえば１４０℃に温度条件下で１０００万回以上継続して使用することが可能となり、耐久性に優れた絞り装置２００を形成することが可能である。
この他にも、たとえば絞り羽根２０２，２０３をプラスチック（ＰＥＴ）で形成し、係止ピン２０１２〜２０１５（基体２０１）をアルミニウム等の金属で形成することも可能である。この場合も十分な耐久性を得ることができる。
また、絞り羽根２０２，２０３の材料として、ＳＫ材からなる金属を採用し、ピン材料としてアルミニウム等の金属を採用することも可能である。
【００６６】
絞り羽根２０２，２０３は、互いに重なり合う領域を有しているが、上記の材料を適宜選択等することにより、開閉時の摩擦抵抗を減らし、スムースな開閉動作を実現している。
【００６７】
本実施形態の絞り装置２００は、全閉状態でも遮光率１００％ではなく約８０％までに留めている。
最小絞り開口径は、ユニフォミティが目標規格内であり、かつ、羽根表面の異常温度上昇による発煙などのシステムトラブルを想定して決定される。
このように構成することにより、何らかのシステム異常により、絞り装置の強制冷却が停止した場合でも光源光（照明光Ｌ）の一部が透過するので、著しく高温になる危険性から回避される。
【００６８】
また、絞り羽根２０２のアイリス羽根部２０２ａと絞り羽根２０３のアイリス羽根部２０３ａとで形成される絞り領域を図１０および図１１に例では、略十字形状に形成されるような例を示している。
本実施形態の絞り装置２００によれば、図１３（Ａ）に示すように、小絞り開口形状が略十字形状をなし、パネルコントラスト視野角特性と絞り開閉時の形状を合わせるように配置している。
また、開口形状として直線が交差してなるエッジ部が形成されず、投影された映像の周りにゴーストが発現することを抑止できる。
そこで、本実施形態の場合、絞り装置２００は、開放開口形状が、図１３（Ｂ）に示すように、略円形状となるように構成されている。
【００６９】
次に、本実施形態における絞り装置２００の取り付け構造について説明する。
【００７０】
図９は、本実施形態における絞り装置２００のレンズ鏡筒部への取り付け構造例を示す図である。
【００７１】
絞り装置２００は、レンズ鏡筒部５００の絞り取り付け部５０１の位置決め部５０２に対して切り欠き部２０２０を挿入して位置決めし取り付け片２０１８，２０１９を介してねじ止めする。
この場合、絞り開口２０１１の略中心部がレンズ鏡部５００の光軸と略一致するように取り付け可能である。
また、本実施形態においては、小絞り開口形状が略十字形状をなし、パネルコントラスト視野角特性と絞り開閉時の形状を合わせるように配置している。
【００７２】
上述したように、本実施形態においては、絞り形状を素子のコントラスト特性と合わせることで、コントラスト向上の度合いを高く維持できる。
したがって、本実施形態のように、絞り形状を素子のコントラスト特性と合わせることで、コントラスト向上の度合いが高く維持できることが、小型化、設計変更の少なさに寄与している。
【００７３】
このように、絞りを斜め配置することによりコントラスト向上に大きく寄与できる表示パネルとしては、たとえば捩れ方向が水平あるいは垂直方向であるＴＮ（ツイストネマチック）液晶を用いた液晶パネルを上げることができる。
【００７４】
本実施形態においては、ガルバノメータ３００の出力軸３０１，３０２と絞り羽根２０２，２０３は係止関係をもって連接しており、ガルバノメータ３００に対して所定の絞り開口を得るためのコントロール電圧を印加すると、ガルバノメータ出力軸３０１，３０２の回転力が絞り羽根２０２，２０３の被係止孔２０２３，２０３３を通して直線的な動きに変換されて絞り羽根２０２，２０３がスライドし、このとき、外部（この場合プロジェクタのコントロール側）からのコントロール電圧値により任意の絞り開口を得ることができる。
【００７５】
図１４は、本実施形態に係るガルバノメータの一例を示す回路図である。
このガルバノメータ３００は、図１４に示すように、ホール素子３１０、制動コイル３１１、駆動コイル３１２、オペアンプ３１３〜３１５、抵抗素子Ｒ３０１〜Ｒ３１９、キャパシタＣ３０１〜Ｃ３０５を有する。抵抗素子Ｒ３０９、Ｒ３１４は可変抵抗素子である。
【００７６】
ガルバノメータ３００のコントロール信号として目標となる絞り口径の位置信号が入力されると、駆動コイル３１２に電流が流れガルバノメータの出力軸が回転する。
軸回転に伴い、ガルバノメータ３００内部に設置されたホール素子３１０から回転位置信号が出力され、入力コントロール信号と平衡状態になったところで出力軸が停止する。
制動コイル３１１は駆動コイル３１２のピックアップセンサとして働き、急激な変化にはブレーキとして働くように常にフィードバックをかけ平衡状態を保つ。
ガルバノメータ３００を構成する主にホール素子３１０の個体差によるコントロール電圧と揺動角の個体差（ばらつき）をなくすため、電源オン時にプロジェクタ側に設けた図示しない制御用マイクロコンピュータ（マイコン）によりイニシャライズ動作を行う。
ホール素子３１０の出力電圧により、オープン端とクローズ端での電圧をサンプリングし、絞り装置２００のオープン端とクローズ端までの出力電圧の絶対量を制御側に用意したメモリに記憶する。
ガルバノメータ３００の最大揺動角と上記出力電圧の絶対量から、揺動角と出力電圧の関係が分かり出力軸の絶対回転角を任意の角度に位置決めすることができる。
【００７７】
次に、駆動源としてガルバノメータ３００を用いる理由について説明する。
ガルバノメータ３００は、動作時の騒音が非常に小さく無音に近い高速動作（全開から全閉まで約５０〜７０ms）が可能である。
絞り装置２００は、絞り羽根２０２，２０３を所定の速度と精度で目標位置に位置決めする必要がある。
一般的に虹彩型絞り等では制御方法が簡単なことからステッピングモータが多く用いられるが、投影する画面の照度に応じて連続的に、かつ高速で動作させると、作動中に耳障りな励磁騒音を発するので静音性を求められるホーム用プロジェクタではノイズ源となり使用上不適切である。
これに対して、ガルバノメータ３００は、騒音源となるギヤを介さず連接リンクのみにより駆動することで機械騒音を抑制できる。駆動コイル３１２と制動コイル３１１に流す電流値を最適化し、始動と停止時の加速度カーブを最適化し、加減速時の機構部慣性とバックラッシュによる衝撃音を出さないように制御する。
ガルバノメータ３００の出力軸は機械的な終端位置ではメカ衝突音が発生する。実際の制御においては揺動限界である終端位置より内側での使用とし、終端位置での衝突音を出さないように制御する。
【００７８】
ここで、ホール素子３１０の出力側に配置される増幅系回路について考察する。
【００７９】
図１４の回路におけるホール素子増幅系回路は、等価的に図１５に示すように表すことが可能である。
この回路は、ホール素子３１０の素子電圧の１／２の同相電圧が存在することから、差動増増幅回路ＯＰ１で増幅する。
そのゲインＡは、Ｒ２／（Ｒ１＋Ｒｈ）で与えられる。ここで、Ｒｈはホール素子３１０の内部抵抗を示している。
この場合、Ｒｈのばらつきが大きく、また、温度特性があることから、ホール素子３１０の出力のばらつきが大きくなる傾向があるが、差動増幅回路であることから、ノイズの影響を受けにくく、部品点数が少ないという利点がある。
【００８０】
また、ホール素子増幅系回路は、図１６に示すような構成を採用することが可能である。
この回路は、差動増幅回路ＯＰ２でホール素子３１０の同相電圧をキャンセルし、非反転増幅回路ＯＰ１で増幅するように構成されている。
第１の増幅回路としての差増増幅回路ＯＰ２には反転入力（−）にホール素子３１０の一出力を入力させ、非反転入力（＋）にリファレンス電圧Ｖｒｅｆを供給している。また、第２の増幅回路としての増幅回路ＯＰ１の非反転入力（＋）にホール素子３１０の他方の出力を入力させ、反転入力（−）にリファレンス電圧Ｖｒｅｆを供給している。
ここで、リファレンス電圧変動分をΔＶｒｅｆ、ホール素子の出力をΔＶｒｅｆ＋Ｖｈ（＝Ｖｈ（＋）−Ｖｈ（−））とすると、次の関係を満足する。
【００８１】
ΔＶｒｅｆ：（ΔＶｒｅｆ＋Ｖｈ）＝Ｒ３//Ｒ４：Ｒ３//Ｒ４＋Ｒ１
したがって、（ΔＶｒｅｆ＋Ｖｈ）＝（Ｒ３//Ｒ４／Ｒ１＋１）×Ｖｈ
すなわち、ホール素子３１０の出力が（Ｒ３//Ｒ４／Ｒ１＋１）倍になる。
また、ゲインＡは次式で与えられる。
【００８２】
Ａ＝［１＋Ｒ２／（Ｒ１＋Ｒ３//Ｒ４）］×（Ｒ３//Ｒ４／Ｒ１＋１）
【００８３】
このように、図１６の回路は、非反転増幅回路のため、ホール素子３０１の内部抵抗Ｒｈの影響を受けない。したがって、温度特性がよく、ホール素子出力のばらつきが小さい。そして、ホール素子３１０の出力を大きくすることで、ノイズの影響を受けにくくすることができる。
【００８４】
本実施形態においては、絞り装置２００を駆動するガルバノメータ３００は、ホール素子３１０、制動コイル３１１、駆動コイル３１２の端子部を絞り装置２００より離間した位置に配置される図示しない制御系回路基板に基板４００に接続されるリード線を通して接続され、リード線部分でノイズ等の影響を受けやすい傾向にあることから、ホール素子増幅系回路としては、図１５の回路より図１６の回路の方が適している。
【００８５】
本実施形態の絞り装置２００は、ＡＰＬ（average picture level ）変動に応じて、絞りの開口径をダイナミックに変化させる。
プロジェクタ側の制御系は、絞りオン（ON）／オフ（OFF）／自動（AUTO）の３種類の設定モードを有する。
絞りOFFモードでは絞り全開状態で遮光率０％、絞りONでは遮光率５０％、絞りAUTOでは遮光率０〜８０％の間で最適な絞り開口となるように可変制御される。
【００８６】
ここで、AUTOモードでの絞り開口率の制御方法について説明する。
液晶パネルドライブ回路では入力信号フォーマットを出力フォーマットに見合った画面サイズ、映像信号タイミング、解像度などに変換するために、最低１フレーム分はいったんフレームバッファに蓄積した後パネルドライバより出力される。
絞り装置制御用のマイコンは、出力前の１フレームに含まれる画像データの平均輝度レベルを示すＡＰＬ情報を取り込み、その値を認識する。
認識したＡＰＬ情報に基づいて最適な絞り開口を得るためのコントロール信号にデジタル・アナログ（ＤＡ）変換される。
液晶パネルへの画像信号出力と同期して、ＡＰＬ情報より最適化されたこのコントロール信号を絞り装置駆動回路に印加し、最適な絞り開口を得る。
映像信号のＡＰＬ情報に基づき、絞りの開口と共に液晶パネル１２２Ｒ，１２２Ｇ，１２２Ｂを駆動する信号レベルが制御される。
たとえば、映像信号として暗い画面が入力されたときは、絞りの開口を小さくして光出力を制限し、逆に液晶パネル１２２Ｒ，１２２Ｇ，１２２Ｂを駆動する信号レベルを高くして所定の階調レベルの映像を表示する。
このような制御を行うことで液晶パネル１２２Ｒ，１２２Ｇ，１２２Ｂが表示可能なダイナミックレンジをより広く活用することになり、暗い映像においても優れた階調表現を行うことができる。また、開口を小さく絞ることにより液晶パネル１２２Ｒ，１２２Ｇ，１２２Ｂに入射する光束角が小さくなり入射角特性（視野角依存性）が改善しコントラスト比が向上する。
絞り装置制御用のマイコンは、前後フレームのＡＰＬ変動を比較しその差分を認識する。
フレーム間でのＡＰＬ変動が予め設定されたしきい値を超える場合は、コントロール信号に対して１以下の係数を乗じて絞り装置を駆動することで絞り開口の急激な変化を抑制する。
鑑賞者である人間の眼は急激な明るさ変化に対してはその明るさの絶対値において鈍感である。たとえば、一般的に急に暗いところから明るいところに移動した際に、周囲の明るさに眼が慣れるまでには約４０秒の時間を要する。
こうした眼の特性を踏まえて鑑賞者が不快感を覚えないような係数を求め、絞り装置駆動に関連した諸パラメータを決定する。
【００８７】
次に、本実施形態における絞り装置２００の耐熱対策について述べる。
【００８８】
図１７は、本実施形態に係る液晶プロジェクタ１００の絞り装置に対する冷却構造を示す図である。
液晶プロジェクタ１００においては、図示しないが、冷却構造として、ランプバラストおよび絞り装置冷却専用シロッコファン、プリズムおよび絞り装置冷却専用シロッコファン、プリズム冷却用送風口等を備えている。
本実施形態においては、プリズム冷却ダクトの風の一部を内気でシールされたメインプレートの穴経由で絞り冷却ダクト６００につなぎ、投射光学系１２６内の絞り羽根２０２，２０３を強制冷却する。
具体的には、図１８に示すように、投射光学系１２６の穴１２６ａを形成し、ダクト６００を通して内気の風を送り込む。なお、穴１２６ａの形成位置の対角側にも風の逃げ穴を形成する。
【００８９】
このように、本実施形態においては、投射光学系１２６側の絞り冷却に対して、内気循環ダクト側から絞り冷却ダクトを経由し、風を引き回す。
したがって、内気の風を利用するため、投射レンズがごみの影響を受けない。
また、専用のファンの設ける必要がないことから、コスト低減を図れ、形状の最小化を図ることができる。
また、いわゆるピンポイントで風を当てることができ、最小の風量で大きな冷却効果を得ることが可能となる。
【００９０】
以上説明したように、本実施形態によれば、セット外形サイズの増大等を抑止でき、コントラスト向上を図れ、また、静音性に優れた投射型表示装置を実現することが可能となる。
【００９１】
本実施形態による照明絞り装置２００を所定の場所に設置すると従来の照明光学系の光学設計を変えることなく偏光効率を向上できるので、スクリーン上に投写される映像コントラストを大幅に向上させることができる。
本絞り装置２００を設置することによる投射光学系の占有体積の増加は絞り装置取り付け部周辺のみであり、商品性を損なうことなく大幅に性能向上を達成できる。
さらに、絞り装置２００は、駆動用アクチュエータを強制冷却する構造を有し、絞り装置の羽根およびその周辺部を強制冷却する構造を有することから、駆動アクチュエータ等の各部が高熱の影響で誤動作することを防止できる。
【図面の簡単な説明】
【００９２】
【図１】本実施形態に係る光学装置を採用した液晶プロジェクタ（投射型表示装置）を原理的に示す図である。
【図２】本実施形態に係る光学装置を採用した液晶プロジェクタ（投射型表示装置）の実装形態を示す図である。
【図３】本実施形態に係る光学部品としての光学補償板の構成例を示す図である。
【図４】液晶パネルのパネルコントラスト視野角特性の照明光(入射光)角度依存性を示す図である。
【図５】パネルコントラストの照明光角度依存性を示す図を説明するための図である。
【図６】液晶パネルへの照明光角度分布を示す図である。
【図７】絞り形状とコントラスト特性分布を合わせた状態を模式的に示す図である。
【図８】光線角度の大小とコントラストおよび明るさとの関係を示す図である。
【図９】本実施形態に係る液晶プロジェクタの光軸を直線に配置し、光線を図示しない場合の光学系配置を示す図である。
【図１０】本実施形態に係る絞り装置の開放時の構成例を示す図である。
【図１１】本実施形態に係る絞り装置の最小絞り径時の構成例を示す図である。
【図１２】本実施形態に係る絞り装置の基体の構成を説明するための図である。
【図１３】好適な絞り形状の一例を説明するための図である。
【図１４】本実施形態に係るガルバノメータの一例を示す回路図である。
【図１５】本実施形態に係るホール素子増幅系回路の第１の例を示す回路図である。
【図１６】本実施形態に係るホール素子増幅系回路の第２の例を示す回路図である。
【図１７】本実施形態に係る液晶プロジェクタの絞り装置に対する冷却構造を示す図である。
【図１８】本実施形態に係る液晶プロジェクタの絞り装置に対する冷却構造を示す図である。
【符号の説明】
【００９３】
１００…液晶プロジェクタ、１０１…光源部、１０２…コリメータレンズ、１０３…光学フィルタ、１０４…第１のマルチレンズアレイ（ＭＬＡ）、１０５…第２のＭＬＡ、１０６…偏光変換素子、１０７…集光レンズ、１０８…照明光学装置、１１０Ｒ、１１０Ｇ…ダイクロイックミラー、１１１，１１２，１１３…反射ミラー、１２０Ｒ，１２０Ｇ，１２０Ｂ…集光レンズ、１２１Ｒ，１２１Ｇ，１２１Ｂ…偏光板、１２２Ｒ，１２２Ｇ，１２２Ｂ…液晶パネル、１２３Ｒ，１２３Ｇ，１２３Ｂ…偏光板、１２４Ｒ，１２４Ｇ，１２４Ｂ…光学部品としての光学補償板、１２５…ダイクロイックプリズム、１２６…投射光学系、１３０，１３１…リレーレンズ、２００…絞り装置、２０１…基体、２０２，２０３…絞り羽根。
【図１】
2008158012.tif 000003
【図２】
2008158012.tif 000004
【図３】
2008158012.tif 000005
【図４】
2008158012.tif 000006
【図５】
2008158012.tif 000007
【図６】
2008158012.tif 000008
【図７】
2008158012.tif 000009
【図８】
2008158012.tif 000010
【図９】
2008158012.tif 000011
【図１０】
2008158012.tif 000012
【図１１】
2008158012.tif 000013
【図１２】
2008158012.tif 000014
【図１３】
2008158012.tif 000015
【図１４】
2008158012.tif 000016
【図１５】
2008158012.tif 000017
【図１６】
2008158012.tif 000018
【図１７】
2008158012.tif 000019
【図１８】
2008158012.tif 000020